(57)【要約】【課題】左右で仕様が異なった制御ユニットでも、自動的に左右の仕様が同じとなるようにマイコンのプログラムを切り替えることで、生産性、サービス性を向上した誘導加熱調理器を実現すること。【解決手段】左右のスレーブ仕様管理手段の一方が他方と同じ仕様となるように調整できる構成とすることにより、左右で仕様が異なった制御ユニットでも、自動的に左右の仕様が同じとなるようにマイコンのプログラムを切り替えることで、生産性、サービス性を向上することが可能となる。【選択図】図２
2007335088.tif 000002
【特許請求の範囲】
【請求項１】
左制御ユニット内に存在し現在の仕様を管理する左スレーブ仕様管理手段と、右制御ユニット内に存在し現在の仕様を管理する右スレーブ仕様管理手段と、操作表示ユニット内に存在し前記左スレーブ仕様管理手段と前記右スレーブ仕様管理手段からの情報により左右の制御ユニットの仕様を決定するマスター仕様管理手段とを備え、前記マスター仕様管理手段は左右の制御ユニットの仕様が異なった場合に、左右のスレーブ仕様管理手段の一方が他方と同じ仕様となるように調整できる構成とした誘導加熱調理器。
【請求項２】
ＥＥＰＲＯＭ等の半導体メモリからなる情報記憶手段を有し、前記情報記憶手段に予め制御ユニットの左右情報やバージョン情報等の識別情報を記憶させることを特徴とする請求項１に記載の誘導加熱調理器。
【請求項３】
制御ユニットは複数の仕様を有し、スレーブ仕様管理手段より仕様を切り替えることができることを特徴とする請求項１または２に記載の誘導加熱調理器。
【請求項４】
ＬＥＤ、液晶等からなる状態表示手段を有し、前記状態表示手段は電源スイッチをオンした初期スタート時に現在の仕様を表示することを特徴とする請求項１〜３のいずれか１項に記載の誘導加熱調理器。
【請求項５】
ブザーやスピーカー等からなる音声で報知する報知手段を有し、前記報知手段は電源スイッチをオンした初期スタート時に現在の仕様を音声報知することを特徴とする請求項１〜４のいずれか１項に記載の誘導加熱調理器。
【請求項６】
仕様表示禁止スイッチを有し、前記仕様表示禁止スイッチをオンすると前記状態表示手段や報知手段での現在の仕様を表示することを禁止することを特徴とする請求項１〜５のいずれか１項に記載の誘導加熱調理器。
【発明の詳細な説明】
【技術分野】
【０００１】
本発明は一般家庭やレストラン及びオフィスなどで使用される誘導加熱調理器に関するものである。
【背景技術】
【０００２】
従来、この種の誘導加熱調理器は、左右の制御ユニットと操作表示ユニットの接続を通信手段で行っているものが提案されている（例えば、特許文献１参照）。
【０００３】
また、左右で仕様が異なった制御ユニットでも、共用化で同一マイコンを外部抵抗によって機種の切り替え、左右の切り替えを行っているものが提案されている。
【特許文献１】特開平６−２１５８６１号公報
【発明の開示】
【発明が解決しようとする課題】
【０００４】
しかしながら、前記従来の構成では、仕様変更で旧制御ユニットから新制御ユニットへの切り替えが必要な場合において、左右の制御ユニットを同時に新制御ユニットへ切り替える時は、旧制御ユニットが残らないように左右の在庫調整等を正確に行わなければならないというという課題を有していた。
【０００５】
また、故障し取り替えるためのサービス部品も旧制御ユニットの左右、新制御ユニットの左右の４種類となり在庫管理が複雑になるし、故障し取り替えるのはどの制御ユニットを交換すれば良いかは、本体を分解して制御ユニットを確認しなければ分からないので交換作業が複雑になるという課題を有していた。
【０００６】
本発明は、前記従来の課題を解決するもので、左右で仕様が異なった制御ユニットでも、自動的に左右の仕様が同じとなるようにマイコンのプログラムを切り替えることで、生産性、サービス性を向上した誘導加熱調理器を提供することを目的とする。
【課題を解決するための手段】
【０００７】
前記従来の課題を解決するために、本発明の誘導加熱調理器は、左制御ユニット内に存在し現在の仕様を管理する左スレーブ仕様管理手段と、右制御ユニット内に存在し現在の仕様を管理する右スレーブ仕様管理手段と、操作表示ユニット内に存在し前記左スレーブ仕様管理手段と前記右スレーブ仕様管理手段からの情報により左右の制御ユニットの仕様を決定するマスター仕様管理手段とを備え、前記マスター仕様管理手段は左右の制御ユニットの仕様が異なった場合に、左右のスレーブ仕様管理手段の一方が他方と同じ仕様となるように調整できる構成としたものである。
【０００８】
これによって、左右で仕様が異なった制御ユニットでも、自動的に左右の仕様が同じとなるようにマイコンのプログラムを切り替えることで、生産性、サービス性を向上することが可能な誘導加熱調理器を提供することができる。
【発明の効果】
【０００９】
本発明の誘導加熱調理器は、左右で仕様が異なった制御ユニットでも、自動的に左右の仕様が同じとなるようにマイコンのプログラムを切り替えることで、生産性、サービス性を向上することができる。
【発明を実施するための最良の形態】
【００１０】
第１の発明は、前記従来の課題を解決するために、本発明の誘導加熱調理器は、左制御ユニット内に存在し現在の仕様を管理する左スレーブ仕様管理手段と、右制御ユニット内に存在し現在の仕様を管理する右スレーブ仕様管理手段と、操作表示ユニット内に存在し前記左スレーブ仕様管理手段と前記右スレーブ仕様管理手段からの情報により左右の制御ユニットの仕様を決定するマスター仕様管理手段とを備え、前記マスター仕様管理手段は左右の制御ユニットの仕様が異なった場合に、左右のスレーブ仕様管理手段の一方が他方と同じ仕様となるように調整できる構成とすることにより、左右で仕様が異なった制御ユニットでも、自動的に左右の仕様が同じとなるようにマイコンのプログラムを切り替えることで、生産性、サービス性を向上することが可能な誘導加熱調理器を提供することができる。
【００１１】
第２の発明は、特に、第１の発明に、ＥＥＰＲＯＭ等の半導体メモリからなる情報記憶手段を有し、前記情報記憶手段に予め制御ユニットの左右情報やバージョン情報等の識別情報を記憶させることにより、サービス性を向上することが可能な誘導加熱調理器を提供することができる。
【００１２】
第３の発明は、特に、第１または第２の発明に、制御ユニットは複数の仕様を有し、スレーブ仕様管理手段より仕様を切り替えることができることにより、生産性を向上することが可能な誘導加熱調理器を提供することができる。
【００１３】
第４の発明は、特に、第１〜３のいずれか１つの発明に、ＬＥＤ、液晶等からなる状態表示手段を有し、前記状態表示手段は電源スイッチをオンした初期スタート時に現在の仕様を表示することにより、安全で安心で使い勝手の良い誘導加熱調理器を提供することができる。
【００１４】
第５の発明は、特に、第１〜４のいずれか１つの発明に、ブザーやスピーカー等からなる音声で報知する報知手段を有し、前記報知手段は電源スイッチをオンした初期スタート時に現在の仕様を音声報知することにより、使い勝手の良い誘導加熱調理器を提供することができる。
【００１５】
第６の発明は、特に、第１〜５のいずれか１つの発明に、仕様表示禁止スイッチを有し、前記仕様表示禁止スイッチをオンすると前記状態表示手段や報知手段での現在の仕様を表示することを禁止することにより、使い勝手の良い誘導加熱調理器を提供することができる。
【００１６】
以下、本発明の実施の形態について、図面を用いて説明する。なお、この実施の形態によって本発明が限定されるものではない。
【００１７】
（実施の形態１）
図１は、本発明の第１の実施の形態における誘導加熱調理器の構成を示す斜視図を示すものである。
【００１８】
図１において、外郭ケース１の上部にトッププレート２が設けられている。トッププレート２には誘導加熱により鍋などの調理容器３を加熱する加熱部４および輻射加熱をする加熱部５が設けられている。さらに、魚等を焼くロースタ６、および熱源の操作をする操作部７が外郭ケース１の側面に設けられている。また、トッププレート２の下方には加熱コイル８およびラジエントヒータが加熱部４および加熱部５に対応して設けられている。この他に、誘導加熱調理器の発熱する部分として、加熱コイル８の下方に加熱コイル８を制御するインバータ回路を含む加熱制御手段９が設けられている。
【００１９】
以上のように構成された誘導加熱調理器について、以下その動作、作用を説明する。
【００２０】
図２において、１０はトッププレート２を介して調理容器３の温度を検出するサーミスタ等からなる温度検出手段であり、左加熱制御手段９は温度検出手段１０の温度情報により加熱コイル８の高周波電流を制御して左側の調理容器３の加熱電力量を制御する。
【００２１】
右側も同様に、右加熱制御手段１３は温度検出手段１０の温度情報により加熱コイル８の高周波電流を制御して右側の調理容器３の加熱電力量を制御する。
【００２２】
１１はＬＥＤや液晶等からなる左高温状態表示手段で、左加熱制御手段９は温度検出手段１０の温度情報により所定温度以上では左高温状態表示手段１１を点灯や点滅を行い、所定温度未満では左高温状態表示手段１１を消灯することで使用者に高温状態かどうかを明確にしている。
【００２３】
右側も同様に、１３はＬＥＤや液晶等からなる右高温状態表示手段で、右加熱制御手段１２は温度検出手段１０の温度情報により所定温度以上では右高温状態表示手段１３を点灯や点滅を行い、所定温度未満では右高温状態表示手段１３を消灯している。
【００２４】
１４は左制御ユニットで、左加熱制御手段９と左加熱制御手段９の仕様を管理する左スレーブ仕様管理手段１５で構成されている。
【００２５】
右側も同様に、１６は右制御ユニットで、右加熱制御手段１２と右加熱制御手段１２の仕様を管理する右スレーブ仕様管理手段１７で構成されている。
【００２６】
１９は加熱部４を動作させるために左加熱制御手段９と右加熱制御手段を制御するための操作制御手段で、２０はキースイッチ等からなる操作入力手段で、２１はＬＥＤや液晶等からなる現在の動作状況を表示するための状態表示手段で、２２はブザーやスピーカー等からなる現在の動作状況を音声報知する報知手段で、２３は操作制御手段１９を通して左制御ユニット１４と右制御ユニット１６の仕様を管理するためのマスター仕様管理手段である。
【００２７】
１８は操作表示ユニットで、操作制御手段１９と操作入力手段２０と状態表示手段２１と報知手段２２とマスター仕様管理手段２３で構成されている。
【００２８】
図３は、本発明の実施の形態１における誘導加熱調理器の左スレーブ仕様管理手段１５と右スレーブ仕様管理手段１７の動作を示すフローチャートであり、制御ユニットの構成要素の一つであるマイクロコンピュータ（以下、マイコンと記す）に記憶されたプログラムの動作を示したものである。以下、左右で仕様が異なった制御ユニットでも、自動的に左右の仕様が同じとなる動作について説明する。
【００２９】
まず異なる仕様の例として、調理容器３が高温になった時に高温状態表示手段を点滅させる仕様で、２つの異なる仕様を仕様Ａと仕様Ｂとして、仕様Ａを１秒オン／１秒オフで点滅させる。仕様Ｂを２秒オン／２秒オフで点滅させる。これは、例えば量産当初を仕様Ａで生産し、量産途中から仕様変更で仕様Ｂに変わった場合を想定している。
【００３０】
始めに左制御ユニット１４について、図示していない電源スイッチをオンすると、Ｓ１００で左制御ユニット１４の現在の仕様を確認し仕様Ａであれば、Ｓ１０１で左スレーブ管理手段１５はマスター仕様管理手段２３へ左制御ユニット１４は仕様Ａであることを送信する。そして、Ｓ１０２で左スレーブ管理手段１５はマスター仕様管理手段２３から要求される仕様の受信待ちを行い仕様Ａを受信すると、Ｓ１０３で左制御ユニット１４は仕様Ａで動作することを決定する。
【００３１】
もし、Ｓ１００で左制御ユニット１４の現在の仕様が仕様Ｂであれば、Ｓ１０４で所定時間経過（本発明ではマスター仕様管理手段２３から要求される仕様が受信されないと判断できる時間とする）する前に左スレーブ管理手段１５はマスター仕様管理手段２３から仕様Ａを受信すると（Ｓ１０５）、Ｓ１０６で左制御ユニット１４は仕様Ａで動作することを決定する。Ｓ１０４で所定時間経過すると、Ｓ１０７で左制御ユニット１４は仕様Ｂで動作することを決定する。
【００３２】
次に右制御ユニット１６も同様に仕様Ａで動作するのか仕様Ｂで動作するのか決定する。
【００３３】
図４は、本発明の実施の形態１における誘導加熱調理器のマスター仕様管理手段２３の動作を示すフローチャートであり、操作表示ユニットの構成要素の一つであるマイクロコンピュータ（以下、マイコンと記す）に記憶されたプログラムの動作を示したものである。以下、左右で仕様が異なった制御ユニットでも、自動的に左右の仕様が同じとなる動作について説明する。
【００３４】
まず、図示していない電源スイッチをオンすると、Ｓ２００で所定時間経過（本発明では左スレーブ管理手段１５と右スレーブ仕様管理手段１７から現在の仕様が受信されないと判断できる時間とする）する前に左スレーブ管理手段１５、または、右スレーブ仕様管理手段１７から仕様Ａを受信すると（Ｓ２０１）、Ｓ２０２でマスター仕様管理手段２３は左スレーブ仕様管理手１５と右スレーブ仕様管理手へ仕様Ａで決定するように送信する。そして、Ｓ２０３で操作表示ユニット１８は仕様Ａで動作することを決定する。
【００３５】
Ｓ２００で所定時間経過すると、Ｓ２０４で操作表示ユニット１８は仕様Ｂで動作することを決定する。
【００３６】
なお、本発明では仕様Ｂについては仕様Ａの後に変更しているので、制御ユニットはスレーブ仕様管理手段の判断により仕様Ａと仕様Ｂのプログラムを切り替えることができるようにしている。
【００３７】
以上より、本発明は、左右で仕様が異なった制御ユニットでも、自動的に左右の仕様が同じとなるようにマイコンのプログラムを切り替えることができる。
【産業上の利用可能性】
【００３８】
以上のように、本発明にかかる誘導加熱調理器は、左右で仕様が異なった制御ユニットでも、自動的に左右の仕様が同じとなるようにマイコンのプログラムを切り替えることで、生産性、サービス性を向上することができる。誘導加熱を行う一般家庭やレストラン及びオフィスなどで使用される加熱調理器等の用途にも適用できる。
【図面の簡単な説明】
【００３９】
【図１】本発明の実施の形態１における誘導加熱調理器の斜視図
【図２】本発明の実施の形態１における誘導加熱調理器のブロック図
【図３】本発明の実施の形態１における誘導加熱調理器のスレーブ仕様管理手段の動作を示すフローチャート
【図４】本発明の実施の形態１における誘導加熱調理器のマスター仕様管理手段の動作を示すフローチャート
【符号の説明】
【００４０】
２  トッププレート
３  調理容器
８  加熱コイル
９  加熱制御手段
１０  温度検出手段
１５  左スレーブ仕様管理手段
１７  右スレーブ仕様管理手段
２１  状態表示手段
２２  報知手段
２３  マスター仕様管理手段
【図１】
2007335088.tif 000003
【図２】
2007335088.tif 000004
【図３】
2007335088.tif 000005
【図４】
2007335088.tif 000006